(57)【要約】  本発明は、それぞれ所定の画素数を含む線の所定数を含む少なくとも１つの画像の画像シーケンスにおいて、所定数のシンボルを含むデータを挿入するための方法であって、前記方法は、画像シーケンスのスペクトル間に差し込まれた櫛状のスペクトルを提示し、挿入されるデータの各シンボルに対するそれぞれの関数を含んでいる、関数セットを作り出すことと、挿入されるデータのそれぞれのシンボルを表す値により関数セットの各関数をずらすことと、ずらした関数を重ねることと、ずらした関数の重ね合わせにより得られた結果と、画像シーケンスの画素とを組み合わせることとを含む。
2008512913.tif 000002
【特許請求の範囲】
【請求項１】
所定数の画素をそれぞれ含む所定数の線を含む少なくとも１つの画像の画像シーケンスの中に、所定数のシンボルの数を含み、
前記画像シーケンスのスペクトルに挿入される、櫛の形をしているスペクトルを示し、挿入される情報の各シンボルに対する関数を含んでいる、関数セットを生成するステップと、
前記関数セットの各関数を、挿入されるデータそれぞれのシンボルを代表する値により、移相するステップと、
前記移相された関数を重ね合わせるステップと、
移相された関数を重ね合わせることにより得られた結果に、前記画像シーケンスの前記画素を組み合わせるステップとを含んだことを特徴とする、データを挿入するための方法。
【請求項２】
前記関数セットのそれぞれの関数の前記移相前に、挿入されるデータシンボルをインターリーブするステップも含んでいることを特徴とする、請求項１に記載の方法。
【請求項３】
前記関数セットの各関数の前記移相変調の前に、挿入される各データシンボルに対するそれぞれのシンボルを含んだ擬似ランダムシーケンスを生成するステップと、前記擬似ランダムシーケンスを用いて挿入されるデータシンボルをシャッフルするステップとを含んだことを特徴とする、請求項１または請求項２に記載の方法。
【請求項４】
前記シャッフルするステップは、排他的論理和演算において、挿入されるデータシンボルと前記擬似ランダムシーケンスとを結合することから成ることを特徴とする、請求項３に記載の方法。
【請求項５】
前記関数セットの前記関数は、前記画像シーケンスの前記線周波数に対応する一定の距離で離された、それぞれの主なスペクトル線を有することを特徴とする、請求項１〜４の一項に記載の方法。
【請求項６】
前記画像シーケンスは、櫛の形をしているスペクトルを有し、前記関数セットの前記櫛の形をしているスペクトルは、調整される周波数（ｆｄ）の前記画像シーケンスの前記スペクトルに関して、ずらされていることを特徴とした、請求項１〜５の一項に記載の方法。
【請求項７】
移相された関数を重ねた前記結果と前記画像シーケンスの画素との前記組合せは、前記画像シーケンスの前記画素の輝度を調節することにより、実行されることを特徴とする、請求項１〜６の一項に記載の方法。
【請求項８】
前記移相された関数を前記重ねた前記結果と前記画像シーケンスの前記画素との前記組合せは、前記画像シーケンスの前記画素の色成分を回転させることにより、実行されることを特徴とする、請求項１〜６の一項に記載の方法。
【請求項９】
移相された関数を前記重ねた前記結果と組み合わされるとき、前記画像シーケンスの前記画素における飽和現象を避けるために、前記画像を前処理するステップも含んだことを特徴とする、請求項１〜７の一項に記載の方法。
【請求項１０】
前記画像シーケンスの前記画素のそれぞれの色成分に対して異なったシンボルのシーケンスを得るために、挿入されるデータシンボルをコード化するステップを含んでおり、前記関数セットの前記関数は、得られ、重ねられ、そして、それぞれ前記画像シーケンスの前記画素の前記色成分と組み合わせられた、シンボルのシーケンスのそれぞれにより、移相されることを特徴とする、請求項１〜８の一項に記載の方法。
【請求項１１】
それぞれの色成分に対して異なったシンボルシーケンスを得るために、挿入される前記データシンボルに適用される前記コード化は、折り畳みタイプのコード化であることを特徴とする、請求項１０に記載の方法。
【請求項１２】
前記画像シーケンスの画素と、前記移相された関数を前記重ねた前記結果との前記組合せは、前記画像シーケンスにおいて比較的目に見えないように実行されることを特徴とする、請求項１〜１１の一項に記載の方法。
【請求項１３】
前記画像シーケンスの画素と、前記移相された関数を前記重ねた前記結果との組合せは、前記画像シーケンスにおいて前記画像にスクランブルをかけるために実行されることを特徴とする、請求項１〜１１の一項に記載の方法。
【請求項１４】
所定数の画素をそれぞれ含む所定数の線を含む少なくとも１つの画像の画像シーケンスからデータを抽出するための方法であって、前記データは、請求項１〜１２の一項に記載の前記挿入方法に従い、挿入されたことを特徴とする方法。
【請求項１５】
所定数の画素をそれぞれ含む所定数の線を含む少なくとも１つの画像の画像シーケンスをスクランブル解除するための方法であって、前記画像シーケンスは、請求項１〜１１および１３の一項に記載の前記挿入方法に従い、スクランブルをかけられたことを特徴とする方法。
【請求項１６】
所定数の画素をそれぞれ含む所定数の線を含む少なくとも１つの画像の画像シーケンスにおいて、所定数のシンボルを含むデータを挿入するための装置であって、請求項１〜１３の一項に記載の前記方法を実行する手段を含んだことを特徴とする装置。
【請求項１７】
所定数の画素をそれぞれ含む所定数の線を含む少なくとも１つの画像の画像シーケンスからデータを抽出するための装置であって、請求項１４に記載の前記方法を実行する手段を含んだことを特徴とする装置。
【請求項１８】
所定数の画素をそれぞれ含む所定数の線を含む少なくとも１つの画像の画像シーケンスのスクランブルを解除するための装置であって、請求項１５に記載の前記方法を実行する手段を含んだことを特徴とする装置。
【発明の詳細な説明】
【発明の詳細な説明】
【０００１】
本発明は、静止または動画像へのデータの挿入に関する。
【０００２】
それは、特に、しかし排他的にではなく、画像または画像シーケンスにおける、透かしの生成と挿入、シーケンスの画像に索引をつける目的のためのデータの挿入、または、ビデオ画像のスクランブルに適用される。透かしを挿入して画像に索引をつけるための適用では、情報の挿入は、それが感知できないように実行されなければならない。対照的に、画像のスクランブルへの適用では、この挿入は、画像の品質をかなり損なわなければならない。
【０００３】
静止または動画像のようなコンテンツのデジタル化のための技術は、このコンテンツのコピーを、量の制限なく、かつ品質を損なうことなしに生成することを可能にする。同時に、コンピュータネットワークおよびパーソナルコンピュータの開発はこのコンテンツの制御されない散布をもたらす。したがって、このコンテンツの著作権へのコンプライアンスを確実にするのはますます難しくなる。
【０００４】
著作権で保護された作品のこの散布をモニタすることを可能にする保護技術があり、２つのカテゴリに分類される。第１のカテゴリは、デジタル化されたコンテンツに暗号化を適用し、それを復号鍵なしでは解読できなくすることから成る暗号手法を結合する。第２のカテゴリは、複写の可能性を制限しながら、作品またはコードの合法的なコピーを特定することを可能にするデータを含む知覚不可能な透かしを挿入するための技術を結合する。
【０００５】
透かしの挿入技術を効果的にするために、透かしは、コンテンツから、画像品質への実質損害なしで取り除くことができない必要がある。特に、同じコンテンツの複数のコピーを結合することにより、透かしを取り外すことが不可能でなければならない。さらに、画像と、特にビデオシーケンスとは、一般的に、デジタルからアナログへの、そしてアナログからデジタルへの変換、圧縮／復元処理、または、スケールの変更、クロッピング、光の調整、コントラスト、および色のための処理操作などの、数多くの処理操作を受ける。透かしもまた、これらの処理操作に耐性がなければならない。
【０００６】
使用される技術はまた、適切な量の情報を挿入することが、量が増加するほど透かしの挿入が画像品質と透かしの強さとに影響することとを考慮して、可能でなければならない。
【０００７】
静止または動画像に透かしを挿入するための多数の技術があり、攻撃と画像処理操作への耐性は様々である。これらの技術のうち、特許ＵＳ６，５５７，１０３が、拡散スペクトルシーケンスによって画像に挿入されるメッセージの予備的な変調を引き起こすステガノグラフィ方法を説明している。他の透かしの挿入技術との比較において、この方法は、画像に挿入された情報のための強さと帯域幅に関して良い性能がある。
【０００８】
しかしながら、この方法は、総称的である場合、画像の場合では最適でなく、画像に挿入されるべきメッセージの予備的エンコードを必要とし、これはエラー訂正を用いるエンコードの使用であり、これは帯域幅または画像に挿入される有効なデータの量の削減に貢献する。
【０００９】
本発明は、この短所に打ち勝つことを意図する。この目的は、所定数の画素をそれぞれ含む所定数の線を含む少なくとも１つの画像の画像シーケンスの所定数のシンボルを含むデータを挿入するための方法を提供することによって、達成される。
【００１０】
本発明によると、この方法は、
画像シーケンスのスペクトルに挿入される、櫛の形をしているスペクトルを示し、挿入される情報の各シンボルに対する関数を含んでいる、関数セットを生成するステップと、
関数セットの各関数を、挿入されるデータそれぞれのシンボルを代表する値により、移相するステップと、
移相された関数を重ね合わせるステップと、
移相された関数を重ね合わせることにより得られた結果に、画像シーケンスの画素を組み合わせるステップとを含んでいる。
【００１１】
本発明の好適実施例によると、この方法はまた、、関数セットのそれぞれの関数の移相前に、挿入されるデータシンボルをインターリーブするステップも含んでいる。
【００１２】
本発明の好適実施例によると、この方法は、関数セットの各関数の移相変調の前に、挿入される各データシンボルに対するそれぞれのシンボルを含んだ擬似ランダムシーケンスを生成するステップと、擬似ランダムシーケンスを用いて挿入されるデータシンボルをシャッフルするステップとを含んでいる。
【００１３】
望ましくは、シャッフルするステップは、排他的論理和演算において、挿入されるデータシンボルと擬似ランダムシーケンスとを結合することから成る。
【００１４】
本発明の好適実施例によると、関数セットの関数は、画像シーケンスの線周波数に対応する一定の距離で離された、それぞれの主なスペクトル線を有する。
【００１５】
本発明の好適実施例によると、画像シーケンスは、櫛の形をしているスペクトルを有し、関数セットの櫛の形をしているスペクトルは、調整される周波数の画像シーケンスのスペクトルに関して、ずらされる。
【００１６】
本発明の好適実施例によると、移相された関数を重ねた結果と画像シーケンスの画素との組合せは、画像シーケンスの画素の輝度を調節することにより、実行される。
【００１７】
本発明の好適実施例によると、移相された関数を重ねた結果と画像シーケンスの画素との組合せは、画像シーケンスの画素の色成分を回転させることにより（par une rotation des composantes couleur）、実行される。
【００１８】
本発明の好適実施例によると、この方法はまた、画素が移相された関数を重ねた結果と組み合わされるとき、画像シーケンスの画素における飽和現象を避けるために、画像を前処理するステップを含んでいる。
【００１９】
本発明の好適実施例によると、この方法はまた、画像シーケンスの画素のそれぞれの色成分に対して異なったシンボルのシーケンスを得るために、挿入されるデータシンボルをコード化するステップを含んでおり、関数セットの関数は、得られ、重ねられ、そして、それぞれ画像シーケンスの画素の色成分と組み合わせられた、シンボルのシーケンスのそれぞれにより、移相される。
【００２０】
本発明の好適実施例によると、それぞれの色成分に対して異なったシンボルシーケンスを得るために、挿入されるデータシンボルに適用されるコード化は、折り畳みタイプのコード化（un codage de type convolutif）である。
【００２１】
本発明の好適実施例によると、画像シーケンスの画素と、移相された関数を重ねた結果との組合せは、画像シーケンスにおいて比較的目に見えないように実行される。
【００２２】
本発明の好適実施例によると、画像シーケンスの画素と、移相された関数を重ねた結果との組合せは、画像シーケンスにおいて画像にスクランブルをかけるために実行される。
【００２３】
本発明はまた、所定数の画素をそれぞれ含む所定数の線を含む少なくとも１つの画像の画像シーケンスからデータを抽出するための方法に関する。本発明によると、データは、上記において定義された挿入方法に従い、挿入される。
【００２４】
本発明はまた、所定数の画素をそれぞれ含む所定数の線を含む少なくとも１つの画像の画像シーケンスのスクランブルを解除するための方法に関する。本発明によると、画像シーケンスは、上記において定義された挿入方法に従い、スクランブルがかけられる。
【００２５】
本発明はまた、所定数の画素をそれぞれ含む所定数の線を含む少なくとも１つの画像の画像シーケンスにおいて、所定数のシンボルを含むデータを挿入するための装置に関する。本発明によると、この装置は、上記において定義されたデータ挿入方法を実行する手段を含んでいる。
【００２６】
本発明はまた、所定数の画素をそれぞれ含む所定数の線を含む少なくとも１つの画像の画像シーケンスからデータを抽出するための装置に関する。本発明によると、この装置は、上記において定義されたデータ抽出方法を実行する手段を含んでいる。
【００２７】
本発明はまた、所定数の画素をそれぞれ含む所定数の線を含む少なくとも１つの画像の画像シーケンスのスクランブルを解除するための装置に関する。本発明によると、この装置は、上記において定義された画像のスクランブルを解除する方法を実行する手段を含んでいる。
【００２８】
以下において、非限定的な例として、追加された図画を参照して本発明の好適実施例について説明する。
【００２９】
図１は、ビデオ画像シーケンスのスペクトルを示している。
【００３０】
図２は、静止画像または画像の連なりに情報を挿入するための発明にかかる装置を図式的に示している。
【００３１】
図３は、図２において示された装置を使用して、静止画像または画像の連なりに挿入された情報を抽出するための発明にかかる装置を図式的に示している。
【００３２】
図４は、図２において示された装置を使用して、壊された画像を復元するための発明にかかる装置を図式的に示している。
【００３３】
図５は、図２において示された装置の代替を図式的に示している。
【００３４】
図６は、図５において示された装置を使用して、静止画像または画像の連なりに挿入された情報を抽出するための発明にかかる装置を図式的に示している。
【００３５】
図７は、図５において示された装置を使用して、壊された画像に復元するための発明にかかる装置を図式的に示している。
【００３６】
本発明は、図１に示されているように、ベースバンドディジタル画像または画像の連なり（調節されていない）のスペクトル型の使用に基づいている。この図では、画像の連なりのスペクトルのエネルギーが画像周波数により離れて区切られた線のセットに分散されており、線のセットのそれぞれは、画像の線の線周波数ｆＨの倍数の周波数ｎ．ｆＨにおいて、最大のエネルギーを有している。２つの続いたエネルギー最大値は、従って、線周波数ｆＨ（Ｈは水平を表す）によって離れて区切られる。
【００３７】
本発明は、線周波数ｆＨの倍数に対応したエネルギーピークの間の、スペクトルの間隔を、そこにマークを形成するデータを挿入するために、使用することを提案する。画像周波数により離れて区切られた線の間にデータを挿入すると想定することもまた可能である。
【００３８】
図１は、画像または画像の連なりにマークを挿入するための発明にかかる装置を示している。この装置は、画像において、線および画素を位置付けることを可能にする同期信号を作成する、画像のパラメータを抽出するための、および画像の連なりの場合は、シーケンスの画像のための、モジュール１を含んでいる。
【００３９】
線および画素周波数における同期信号は関数発生器３に適用され、前記関数は、この場合、直交性が関数の内積の向きに定義されて、互いに直交しているという特徴がある。さらに、それらは、図１に示されるように、画像スペクトルにおいて挿入された櫛のスペクトルを形成するために、関数のベクトル空間において直交基底を形成しなければならない。関数の数は、可変であり、画像に挿入されるメッセージを構成するシンボルの数に関連している。図１の例では、使用される直交関数は、それぞれの周波数が線周波数ｆＨによって離れて区切られ、そして、周波数の位相が、例えば、画像の周波数ｎ．ｆＨにおける最大エネルギーに関してｆＨ／２と等しい、ある一定の距離により移相された、シヌソイド関数である。そのような直交関数は、次の形式を持つ：
ｓｉｎ（ｋωｔ）
ここで、ｋは、１とパラメータとして表される（parametrable）Ｋとの間において変化する整数であり、ω＝２π（ｆＨ＋ｆｄ）であり、ｆｄは、線周波数ｆＨの小数部と等しいシヌソイド関数の移相された周波数である。画像においてマークの強さと鮮明度を最適化するために、間隔［ｎ．ｆＨ，（ｎ＋１）．ｆＨ］、すなわち、移相された周波数ｆｄにおいて、櫛を形成するそれぞれの直交関数の周波数位置の微調整が、有利に、有る。テストは、最適条件がｆｄ＝０．９ｆＨを用いて得られることを容易に示している。
【００４０】
また、画像スペクトルに関して直交関数のセットによって形成された櫛全体の周波数位置を調整するために、線周波数ｆＨの整数倍と等しい周波数ｆ０において、移相を適用することも可能である。その結果、画像に挿入されたメッセージが画像信号によってそれほど乱されないように、高周波数に向かって直交関数の櫛を移相することが、時として望ましい。
【００４１】
これらの調整で、画像スペクトルに関して準直交性（quasi-orthogonalite）の条件を得ることが可能になる。それにもかかわらず、この条件がいつも必要であるというわけではない。実際は、画像がスクランブルをかけられるなら、櫛と画像スペクトルとの間の直交性を抑圧するために、この細かい移相を使用できる。
【００４２】
ハー（Haar）またはアダマール（Hadamard）関数、または窓シヌソイド（sinusoides fenetrees）などのウェーブレット関数などの他の関数を使用することを想定することは、可能である。そのような関数は、次の形式を持つ：
Ｒｅ［ｅｘｐ（ｊｋωＨｔ）］ ｘ Ｆ（ｔ）
Ｒｅ（ｃ）は複素数ｃの実数部であり、Ｆ（ｔ）は、ハニング（Hanning）、ハミングまたはブラックマン（Blackmann）関数、コサインのべき乗（cosinus sureleve)、断ち切られたガウス関数、またはハー関数などのウェーブレット関数などの周期的なウィンドウィング関数（une fonction de fenetrage periodique）である。
【００４３】
例えば、発生器３によって作り出された直交関数のセットは、ソフトウェアテーブルまたは索引をつけられたストレージの形で生成される。
【００４４】
また、線周波数ｆＨではなく、一般に数ダースヘルツである画像周波数により、離れて区切られた直交関数を想定することも、可能である。
【００４５】
さらに、画像または画像シーケンスに挿入されるメッセージは、ｓｔａｒｔ−ｏｆ−ｍａｒｋおよびｅｎｄ−ｏｆ−ｍａｒｋ信号を用いてメッセージを完成させ、画像シーケンスの場合は、メッセージをコピーするかまたは切ることにより、Ｎの連続した画像において、メッセージの分散を実行するモジュール４により処理される。
【００４６】
メッセージの部分のビットの並べ換えを行うインターリービングモジュール７により、各画像に挿入されるメッセージの各部分が処理できる。インターリービングにより、バランスのとれた方法により、基底関数上にメッセージのシンボルを分散させることが可能になる。インターリービングは、ある数Ｌｅの線に同等な期間に渡り、実行される。各Ｌｅでは、並べ換え法は変更されている。
【００４７】
また、図２に示される装置は、入力において受け取られる、初期値と線同期信号とに基づいて、シャッフルシーケンスとして使用される擬似ランダムシーケンスを生成するためのモジュールを含むことができる。
【００４８】
生成されたシャッフルシーケンスは、モジュール４または７の出力において、メッセージの基本シンボルを作成する排他的論理和演算５により、メッセージと組み合わせられる。
【００４９】
シャッフルシーケンスによるメッセージの処理により、目または電子手段により可視である冗長度を防ぐことが、可能になる。シャッフルは、ある数Ｌｂの線に同等な期間に渡り、実行される。各Ｌｂにおいて、シャッフル法は変更されている。
【００５０】
演算５の出力におけるメッセージの基本シンボルは、発生器３により生成された基底関数のすべてを、その入力において受信する、移相器６に適用される。移相器６は、それぞれの基底関数の原点において、位相を決定するために、演算５からの、メッセージの基本シンボルのそれぞれを使用する。シヌソイド基底関数のケースでは、これは、それぞれの関数に、そのリズムが、パラメータＬｅ、Ｌｂ、およびメッセージに関連された同期信号に依存している、ＢＰＳＫ（Binary Phase-Shift Keying）位相変調を適用することになる。この原理を、ＱＰＳＫ(Quadrature Phase-Shift Keying)またはＱＡＭ(Quadrature Amplitude Modulation)変調、または例えばＧＭＳＫ(Gaussian Minimum-Shift Keying)非線型変調にさえ拡張するのは、簡単である。
【００５１】
移相器６によって生成された移相された関数は、結果となる関数を得るためにサマー９により重ねられるか、または追加される。その関数は、次にサンプリングされ、次に画像を変換するためのモジュール１０により画像と混合され、結果となる関数のそれぞれのサンプルに依存した変換を画像の画素に適用される。
【００５２】
画像の画素に適用される変換は、例えば、移相器によって得られた結果となる関数のサンプルを加えることによる、輝度の変調、画像の色成分の回転、または画素の基本コンポーネント上の他のいかなる操作であってもよい。透かしの挿入、または、画像のスクランブリングへの本発明の適用によると、変換の振幅は、多少高くなるように選ばれる。
【００５３】
透かしの挿入の場合では、マークが変換モジュール１０により挿入されるとき、飽和状態を防ぐために、画素値の変動の激しさを減少させるために、変換の前に前処理操作８を画像に適用することが可能である、したがって、もし画素のそれぞれの色成分が０〜２５５（８ビットで）までによりコード化されるなら、この前処理は、画素成分の値を、例えば、それらが１６〜２３５であるように変換することから、成ることができる。
【００５４】
望ましくは、パラメータＬｅおよびＬｂは、画像に挿入されるマークにおいて、シンボルの整数に対応している。しかしながら、反対の場合では、特定のシンボルを用いて画像の各線を完成させるか、または線の終わりまでマークの最後のシンボルを繰り返すことが、可能である。
【００５５】
図３は、画像または画像シーケンスからマークを抽出することを可能にする装置を示している。この装置は、マークされた画像から同期信号を生成し、挿入されたメッセージの開始および終了マークと同じく、画像の線と画素との位置付けを可能とし、画像シーケンスである場合は、シーケンスの画像を位置付けることを可能とする、画像からパラメータを抽出するためのモジュール２１を含んでいる。
【００５６】
画素および線同期信号は、図２において示された装置において使用されるものと類似の、直交関数発生器２２に適用される。
【００５７】
マークされた画像は、直交関数を受け取り、それぞれモジュール２２により生成された直交関数を画像の画素に掛けることにより、画素ごとに、メッセージのシンボルを抽出するモジュール２３に適用される。得られたメッセージのシンボルは、抽出モジュール２１により生成されたマークの周波数と同期したローカル累算器２３において蓄積され、同じ並べ替え法およびシャッフルシーケンスが適用される、画像の線の数を定義するパラメータＬｅおよびＬｂを受け取る。
【００５８】
線、画像、およびマークの同期信号は、図２に示された装置により使用されたシャッフルシーケンスおよび並べ替え法を、入力で受け取った、デシャッフルおよびデインタリービングモジュール２５に適用される。モジュール２５は、画像に挿入された単語を最終的に提供する累算器２６に蓄積された、画像に挿入された単語のビットを得るために、図２に示された装置のモジュール２、５、および７において実行された処理に関して反対の処理操作を実行する。
【００５９】
図４は、スクランブルがかけられた画像を解読することを可能にする装置を示している。この装置は、モジュール４が取り除かれている点を除いて、図２に示されたものと同じであり、モジュール１は、画像において、マークの開始および終了点を検出するために、画像同期信号ではなく、マーク同期信号を抽出する、図３の装置のモジュール２１に置換され、画像を変換するためのモジュール１０は、原画像の画素を得るために、モジュール１０により適用された変換に関して逆の変換を実行する、画像から画素を抽出するためのモジュール３１により置換される。
【００６０】
図５に示された挿入装置の代替として、それぞれの画像の色成分に対して、異なったマーキング信号を生成するために、演算５の出力において得られたマーキング信号を、コード化モジュール４１に適用することが可能である。得られたマーキング信号は、各基底関数および画像のそれぞれの色成分に対する移相された関数を生成する、それぞれの移相器４２の入力に適用される。これらの関数は、次に、それぞれの色成分に対するそれぞれのサマー４４により重ねられ、画像の画素の色成分上にそれぞれ重ねられた関数を組み合わせる変換モジュール４３の入力に適用される。
【００６１】
透かしの挿入のための適用では、モジュール４１で実行されたコード化は、望ましくは、画像に挿入されたマーク上において、画像の色成分間により多くの冗長度を取り入れるために選ばれる。このコード化は、従って、例えば１／３折り畳みタイプである。画像スクランブルのための適用では、モジュール４１により実行されるコード化は、望ましくは、対照的に、画像の色成分にそれぞれ挿入されたマーク間の冗長度を抑圧するために選ばれる。
【００６２】
図６は、図５に示された装置を使用することにより、挿入されたマークを抽出するための装置を示している。図３において示した装置との比較では、この装置は、画像の画素のそれぞれの色成分に対してメッセージシンボルを作成する、メッセージからシンボルを抽出するためのモジュールを含んでいる。この抽出装置は、そして、図３に示された装置のものと同一である、ローカル蓄積モジュール５２、デシャッフルおよびデインタリービングモジュール、および累算モジュール５４を含む、それぞれの色成分に対する処理チェーンを含んでいる。この抽出装置はまた、それぞれの色成分に対して累算モジュール５４により蓄積された、マーク単語群からのマーク単語を復元するために、モジュール４１の関数に関して逆関数を実行する、復号化モジュール５５を含んでいる。コード化モジュール４１により適用されるコード化が１／３折り畳みタイプであるなら、デコーダ５５は、例えば、ビタビデコーダ型であり得る。
【００６３】
図７は、図５において示された挿入装置を使用してスクランブルされた画像を復号することを可能にする装置を示している。この装置は、図４に示されたものに類似しており、図５の装置を得るために図２に示された装置上において実行された変更と同じ変更が行われている。さらに、図４の装置の画像から画素を抽出するためのモジュール３１は、スクランブルがかかった画像から、サマー４４によりそれぞれ色成分に対して得られた、重ねられた関数を抽出する抽出モジュール４５に置換されている。
【図面の簡単な説明】
【００６４】
【図１】図１は、ビデオ画像シーケンスのスペクトルを示している。
【図２】図２は、静止画像または画像の連なりに情報を挿入するための発明にかかる装置を図式的に示している。
【図３】図３は、図２において示された装置を使用して、静止画像または画像の連なりに挿入された情報を抽出するための発明にかかる装置を図式的に示している。
【図４】図４は、図２において示された装置を使用して、壊された画像を復元するための発明にかかる装置を図式的に示している。
【図５】図５は、図２において示された装置の代替を図式的に示している。
【図６】図６は、図５において示された装置を使用して、静止画像または画像の連なりに挿入された情報を抽出するための発明にかかる装置を図式的に示している。
【図７】図７は、図５において示された装置を使用して、壊された画像に復元するための発明にかかる装置を図式的に示している。
【図１】
2008512913.tif 000003
【図２】
2008512913.tif 000004
【図３】
2008512913.tif 000005
【図４】
2008512913.tif 000006
【図５】
2008512913.tif 000007
【図６】
2008512913.tif 000008
【図７】
2008512913.tif 000009